(57)【要約】【課題】条件に応じて入力すべき情報が多様に変わる入力作業を、操作者が効率よく行える入力画面の表示制御技術を提供する。【解決手段】電力モニタ（１１）は、太陽光発電装置（１０）の交流出力を制限する出力制御に関わる設定情報を入力する画面（１１Ａ、１１Ｂ）を備え、出力制御の実施の仕方を決める各種条件に応じた設定情報を入力するための入力欄（１１０または１１１）を、画面（１１Ａ、１１Ｂ）に選択的に表示させる。【選択図】図１
2017163631.tif 000002
【特許請求の範囲】
【請求項１】
太陽光発電装置に備えられる電力モニタであって、
上記太陽光発電装置の交流出力を制限する出力制御に関わる設定情報を入力する画面を備え、
上記太陽光発電装置に対する上記出力制御の実施の仕方を決める各種条件に応じた上記設定情報を入力するための入力欄を、上記画面に選択的に表示させること
を特徴とする電力モニタ。
【請求項２】
上記画面に、上記設定情報を入力するための複数の入力欄が表示されており、上記各種条件から選択された条件に応じて、各入力欄の表示を、入力可能状態および入力不可状態のいずれかに選択的に切り換えること
を特徴とする請求項１に記載の電力モニタ。
【請求項３】
上記各種条件から選択する条件を入力するための第１入力画面と、
上記第１入力画面に対して上記条件を入力したことに応じて、入力した条件に対応した上記設定情報を入力するための入力欄を選択的に表示した第２入力画面と、
を、上記画面に表示させること
を特徴とする請求項１に記載の電力モニタ。
【請求項４】
上記設定情報は、複数種類の設定情報に分類されており、設定情報の種類ごとに、上記入力欄を有する入力画面が切り換わって、上記画面に表示されるように構成されており、
ある種類の設定情報に対応した入力画面に対し上記ある種類の設定情報の入力が完了していない場合には、他の種類の設定情報に対応した入力画面に、表示が切り換わらないように構成されていること
を特徴とする請求項１から３のいずれか１項に記載の電力モニタ。
【請求項５】
上記各種条件は、上記太陽光発電装置を構成するパワーコンディショナおよび／または太陽光発電モジュールの新設、増設および交換のいずれに該当するかであること
を特徴とする請求項１から４のいずれか１項に記載の電力モニタ。
【請求項６】
上記設定情報のうち、電力モニタが上記太陽光発電装置から自動取得できる設定情報、または上記各種条件に対する入力が不要または禁止される設定情報の入力欄については、入力不可状態を表示すること
を特徴とする請求項１から５のいずれか１項に記載の電力モニタ。
【請求項７】
太陽光発電装置に備えられる電力モニタの画面に対する表示制御方法であって、
上記太陽光発電装置の交流出力を制限する出力制御に関わる設定情報を入力するための入力欄を、上記太陽光発電装置に対する上記出力制御の実施の仕方を決める各種条件に応じて、上記画面に選択的に表示させること
を特徴とする表示制御方法。
【請求項８】
請求項７に記載の表示制御方法をコンピュータに実行させるための表示制御プログラム。
【発明の詳細な説明】
【技術分野】
【０００１】
本発明は、太陽光発電装置に備えられる電力モニタと、電力モニタの表示画面に対する表示制御方法とに関する。
【背景技術】
【０００２】
太陽光発電および風力発電等は、自然エネルギを利用することによって二酸化炭素の排出量を抑制できる発電方式として注目されている。また、その発電電力を電力事業者が買い取る制度が実施されたことにより、特に、太陽光発電の一般家庭および産業用施設への普及が進んでいる。
【０００３】
しかしながら、自然エネルギを利用した発電は天候に依存するため、その発電量が需要に一致するとは限らない。例えば、強い日射が長く続く季節では、太陽光発電による発電電力が、複数の太陽光発電装置から電力系統へ一斉に逆潮流されることが起こり得る。そうなると、電力系統が不安定になることが懸念されている。
【０００４】
そこで、電力事業者は、電力系統が不安定になることを回避できるように、複数の太陽光発電装置のそれぞれについて、パワーコンディショナが生成する交流電力の出力（交流出力）の上限値を、日時とともに指定する出力制御を行おうとしている。その出力制御の結果として、太陽光発電装置から電力系統へ逆潮流できる電力を制限できる。なお、パワーコンディショナの交流出力の上限値を、日時とともに指定する情報を、出力制御スケジュールと呼んでいる。出力制御スケジュールは、太陽光発電装置ごとの予想発電量と、電力需要予測とに基づいて作成され、電力事業者が管理するサーバから通信網を介して太陽光発電装置に配信されたり、通信不可の太陽光発電装置には人手によって供給されたりする。太陽光発電装置は、出力制御スケジュールに従って、交流出力を制御する。
【０００５】
ところで、これから実施される出力制御の仕方は、太陽光発電装置の発電規模、太陽光発電装置の設営時期、および電力事業者等に応じて変わるとされている。このため、太陽光発電装置が、上記出力制御に対応する場合、出力制御の実施の仕方を決める各種条件を特定する多数の設定情報を、例えば太陽光発電装置の電力モニタに対して入力することが必要になる。
【０００６】
下掲の特許文献１には、データのグループ関係およびグループ間の階層関係を容易に理解することができ、データ入力作業における作業効率の向上と作業負担の軽減とを図ることのできるメニュー表示システムが開示されている。
【先行技術文献】
【特許文献】
【０００７】
【特許文献１】特開平６−１１０６３８号公報（１９９４年４月２２日公開）
【発明の概要】
【発明が解決しようとする課題】
【０００８】
しかしながら、特許文献１のメニュー表示システムでは、複数の条件が表示された入力画面において、操作者がその複数の条件からある条件を選択したことに応じて、入力すべきデータが異なるような入力作業を効率化することは考慮されていない。すなわち、複数の条件のそれぞれに応じた入力画面をどのように表示し、複数の条件のそれぞれに応じた入力すべきデータの入力欄をどのように表示すれば、入力画面の操作者が、簡単に、入力漏れまたは入力間違いを起こさずに入力作業を行えるかという知見を、特許文献１から得ることはできない。
【０００９】
本発明は、上記の問題点に鑑みてなされたものであり、その目的は、条件に応じて入力すべき情報が多様に変わる入力作業を、操作者が効率よく行うことができる入力画面の表示制御技術を提供することにある。
【課題を解決するための手段】
【００１０】
上記の課題を解決するために、本発明の一態様に係る電力モニタは、太陽光発電装置に備えられる電力モニタであって、上記太陽光発電装置の交流出力を制限する出力制御に関わる設定情報を入力する入力画面を備え、上記太陽光発電装置に対する上記出力制御の実施の仕方を決める各種条件に応じた上記設定情報を入力するための入力欄を、上記表示画面に選択的に表示させることを特徴とする。
【００１１】
また、上記の課題を解決するために、本発明の一態様に係る表示制御方法は、太陽光発電装置に備えられる電力モニタの表示画面に対する表示制御方法であって、上記太陽光発電装置の交流出力を制限する出力制御に関わる設定情報を入力するための入力欄を、上記太陽光発電装置に対する上記出力制御の実施の仕方を決める各種条件に応じて、上記表示画面に選択的に表示させることを特徴とする。
【発明の効果】
【００１２】
本発明の一態様によれば、出力制御の実施の仕方を決める各種条件に応じた設定情報の入力作業を、操作者は効率よく行うことができるという効果を奏する。
【図面の簡単な説明】
【００１３】
【図１】本発明の一実施形態における太陽光発電システムにおいて、電力モニタの機能的な構成を詳細に示すブロック図である。
【図２】上記太陽光発電システムの全体的な構成を示すブロック図である。
【図３】出力制御スケジュールを含む出力制御情報の一例を示す説明図である。
【図４】パワーコンディショナの交流出力の上限値の算出例を示す説明図である。
【図５】出力制御の実施の仕方を決める各種条件から、特定の条件を選択して、電力モニタに入力するための初期画面と、選択した条件に応じて、異なる画面が表示されることとを示す説明図である。
【図６】（ａ）は、出力制御の実施の仕方を決める各種条件に対応した太陽光発電装置の設置パターンとして、太陽光発電装置の新設の場合を示す説明図であり、（ｂ）は、出力制御に関わる設定情報を設置パターンに応じて入力するための入力画面を示す説明図である。
【図７】（ａ）は、上記設置パターンとして、太陽光発電モジュールの増設の場合を示す説明図であり、（ｂ）は、その増設の設置パターンに対応した入力画面を示す説明図である。
【図８】（ａ）は、上記設置パターンとして、新たなパワーコンディショナおよび太陽光発電モジュールのセットを増設する場合を示す説明図であり、（ｂ）は、その増設の設置パターンに対応した入力画面を示す説明図である。
【図９】（ａ）は、上記設置パターンとして、既設のパワーコンディショナに太陽光発電モジュールを増設し、かつ、新たなパワーコンディショナおよび太陽光発電モジュールのセットを増設する場合を示す説明図であり、（ｂ）は、その増設の設置パターンに対応した入力画面を示す説明図である。
【図１０】（ａ）は、上記設置パターンとして、パワーコンディショナを交換して容量が増える場合を示す説明図であり、（ｂ）は、その交換の設置パターンに対応した入力画面を示す説明図である。
【図１１】（ａ）は、上記設置パターンとして、パワーコンディショナを交換して容量が変わらない場合を示す説明図であり、（ｂ）は、その交換の設置パターンに対応した入力画面を示す説明図である。
【図１２】（ａ）は、上記設置パターンとして、パワーコンディショナおよび太陽光発電モジュールのセットを新設する場合を示す説明図であり、（ｂ）は、その新設の設置パターンに対応した入力画面の他の形態を示す説明図である。
【図１３】（ａ）は、上記設置パターンとして、太陽光発電モジュールの増設の場合を示す説明図であり、（ｂ）は、その増設の設置パターンに対応した入力画面の他の形態を示す説明図である。
【図１４】（ａ）は、上記設置パターンとして、新たなパワーコンディショナおよび太陽光発電モジュールのセットを増設する場合を示す説明図であり、（ｂ）は、その増設の設置パターンに対応した入力画面の他の形態を示す説明図である。
【図１５】（ａ）は、上記設置パターンとして、既設のパワーコンディショナに太陽光発電モジュールを増設し、かつ、新たなパワーコンディショナおよび太陽光発電モジュールのセットを増設する場合を示す説明図であり、（ｂ）は、その増設の設置パターンに対応した入力画面の他の形態を示す説明図である。
【図１６】（ａ）は、上記設置パターンとして、パワーコンディショナを交換して容量が増える場合を示す説明図であり、（ｂ）は、その交換の設置パターンに対応した入力画面の他の形態を示す説明図である。
【図１７】（ａ）は、上記設置パターンとして、パワーコンディショナを交換して容量が変わらない場合を示す説明図であり、（ｂ）は、その交換の設置パターンに対応した入力画面の他の形態を示す説明図である。
【図１８】（ａ）（ｂ）は、図５に示す例の他の例を示しており、特定の条件を選択して、電力モニタに入力するための初期画面と、選択した条件に応じて、異なる画面が表示されることとを示す説明図である。
【発明を実施するための形態】
【００１４】
〔実施形態１〕
以下、本発明の実施の形態について、詳細に説明する。
【００１５】
（太陽光発電システムの構成の概要）
図２を参照して、本発明の一実施形態における太陽光発電システムの構成について説明する。図２は、本発明の一実施形態における太陽光発電システムの全体的な構成を示すブロック図である。図２に示すように、太陽光発電システム１は、太陽光発電装置１０、モニタリングサーバ２０、スケジュールサーバ３０、インターネット４０およびルータ５０を備えている。
【００１６】
太陽光発電装置１０は、一例として、電力モニタ１１（制御装置）、パワーコンディショナ１２およびソーラパネル１３を備えている。なお、本実施形態では、太陽光発電装置１０は、一般家庭用に設置されているとする。電力モニタ１１は、画面１１Ａを備えており、太陽光発電装置１０の動作を統括的に制御するコントローラの機能と、ユーザインタフェースの機能とを有している。ユーザインタフェースの機能としては、例えば、太陽光発電装置１０に対する出力制御の実施の仕方を決める各種条件に応じた設定情報（後述）を、太陽光発電装置１０を保守管理するサービスマンが画面１１Ａにタッチして入力する機能を含んでいる。さらに、太陽光発電装置１０の発電電力、売電量、買電量および消費電力などの現在状態を画面１１Ａに表示したり、消費電力の目標値をユーザが設定したり、消費電力の目標値に対する使用状況、あるいは、太陽光発電装置１０に発生した異常をユーザにお知らせしたりする機能なども含まれている。
【００１７】
パワーコンディショナ１２は、ソーラパネル１３の発電電力が常に最大となるようにソーラパネル１３の動作電圧を制御し、ソーラパネル１３が発電した直流電力を交流電力に変換して、家庭負荷１４および図示しない蓄電装置などに供給する。また、パワーコンディショナ１２は、発電電力から、家庭負荷１４および蓄電装置などに供給する負荷電力を差し引いて残る余剰電力を、電力系統６０に逆潮流させる。
【００１８】
なお、太陽光発電装置１０のユーザが、専用の携帯端末または汎用の携帯端末を用いて、電力モニタ１１の上記ユーザインタフェースの機能を利用できるように、後述のルータ５０を介して上記携帯端末を太陽光発電システム１に無線接続することもできる。
【００１９】
モニタリングサーバ２０は、太陽光発電装置１０の保守管理者が保有または管理するサーバである。モニタリングサーバ２０は、太陽光発電装置１０を含む多数の太陽光発電装置の発電状態に関するデータを、インターネット４０およびルータ５０を介して、各太陽光発電装置から一定時間ごとに受信し、各太陽光発電装置の状態を診断し、診断結果を各太陽光発電装置へ送信する。各太陽光発電装置の状態は、各太陽光発電装置の過去の状態、期待される状態、あるいは、各太陽光発電装置の近隣に設置された他の太陽光発電装置の状態と比較され、各太陽光発電装置が正常な状態に保たれているかどうかが診断される。上記保守管理者は、診断結果が異常の発生を示している場合に、発生した異常から考えられるエラー状態に対応するように、サービスマンを対象の太陽光発電装置の現場へ速やかに派遣することができる。
【００２０】
また、モニタリングサーバ２０は、電力モニタ１１から、発電電力、売電量、買電量および消費電力などの現在状態に関するデータ、消費電力の目標値などに関するデータを受信して、各太陽光発電装置に割り当てた識別情報（発電所ＩＤ）に対応して蓄積することもできる。この場合、太陽光発電装置１０側で現在状態等に関するデータの蓄積を省略してもよい。さらに、モニタリングサーバ２０は、電力モニタ１１のソフトウェアにアップデートがあった場合に、電力モニタ１１に対しアップデートを行うこともできる。
【００２１】
スケジュールサーバ３０は、電力系統６０に電力を供給する電力事業者または出力制御スケジュールの配信事業者が保有または管理するサーバである。出力制御スケジュールは、太陽光発電装置１０、すなわちパワーコンディショナ１２の交流出力の上限を、特定の日の特定の時間帯について、例えばパーセントで規定した情報である。作成された出力制御スケジュールは、インターネット４０およびルータ５０を介して、出力制御スケジュールの配信対象となる太陽光発電装置に配信される。なお、電力モニタ１１が、発電所ＩＤを使って、スケジュールサーバ３０に対し、出力制御スケジュールを取りに行くことも可能である。出力制御スケジュールの具体例については後述する。
【００２２】
（出力制御スケジュール）
図３は、出力制御スケジュールを含む出力制御情報の一例を示す説明図である。出力制御情報には、発電所ＩＤおよび出力制御パターンデータが含まれている。発電所ＩＤは、太陽光発電装置１０を含む多数の太陽光発電装置を識別できるように、各太陽光発電装置に割り振られた識別情報である。出力制御パターンデータは、特定の年月日の特定の時間帯における、太陽光発電装置の交流出力の上限をパーセントで示したデータであり、太陽光発電装置に応じて異なる出力制御パターンデータが用意される。
【００２３】
例えば、図３の（ａ）〜（ｃ）は、発電所ＩＤによって特定される１つ以上の太陽光発電装置に適用される出力制御パターンデータを示している。図３の（ａ）に示す出力制御パターンデータでは、○年○月○日において、終日、交流出力の上限が０％に指定されている。この出力制御パターンデータを含む出力制御スケジュールを受け取った太陽光発電装置は、○年○月○日において、終日、売電を行わず、発電電力を自家消費する制御を実行する。
【００２４】
図３の（ｂ）に示す出力制御パターンデータでは、同日の１２時〜１５時の時間帯において、交流出力の上限が５０％に指定されている。この出力制御パターンデータを含む出力制御スケジュールを受け取った太陽光発電装置は、同日の１２時〜１５時の時間帯において、パワーコンディショナの交流出力の上限を５０％とする制御を実行する。この結果、同日の１２時では、当日の予想ピーク電力の７５％の発電が期待されるところ、７５％−５０％＝２５％の発電電力を売電できない予想になる。さらに、売電できない発電電力は、１２時以降の時刻の経過とともに増大し、予想ピーク電力の５０％の発電電力を売電できない状態を経て、さらなる時刻の経過とともに減少する予想になる。なお、１２時〜１５時の時間帯以外では、交流出力の上限が１００％に指定されているので、電力系統への逆潮流は制限されない。すなわち、１２時〜１５時の時間帯以外で余剰電力が発生した場合には、余剰電力を売電することが可能である。
【００２５】
図３の（ｃ）に示す出力制御パターンデータでは、終日、パワーコンディショナの交流出力を制限しないことが指定されている。したがって、この出力制御スケジュールを受け取った太陽光発電装置は、終日、余剰電力が発生した場合に余剰電力を売電する制御を実行することが可能である。
【００２６】
なお、出力制御パターンは以上の３通りに限らないことはいうまでもなく、例えば３０分単位で、より多様なパターンの作成が可能である。また、出力制御スケジュールは、通信可能な太陽光発電装置の場合、スケジュールサーバ３０から太陽光発電装置へ、出力制御を実施する前日または当日の朝に配信される。さらに、天候の急変に応じて、通知済みの出力制御スケジュールをキャンセルまたは更新することも可能である。
【００２７】
なお、スケジュールサーバ３０と通信できない太陽光発電装置の場合、例えば４００日を１サイクルとする長期的な出力制御スケジュールが作成され、太陽光発電装置の保守管理者が、太陽光発電装置の設置場所に赴いて、長期的な出力制御スケジュールを太陽光発電装置に設定してもよい。
【００２８】
上記の長期的な出力制御スケジュールのことを固定スケジュールと言い、短いスパンで更新される出力制御スケジュールのことを更新スケジュールと言うことがある。更新スケジュールは、固定スケジュールに比べて、出力制限が緩いので、更新スケジュールに従う出力制御の方が、ユーザ側に経済的メリットがある。
【００２９】
（出力制御に関わる設定情報の概要）
太陽光発電装置の交流出力を制限する出力制御は、太陽光発電装置ごとに実施される。そのため、太陽光発電装置１０の交流出力の上限値は、太陽光発電装置１０の最大発電電力と、パワーコンディショナ１２の定格容量と、上記の出力制御スケジュールにおいて、例えば前述したようなパーセントで提示される出力制御量とに基づいて、太陽光発電装置１０にて算出される。
【００３０】
太陽光発電装置１０にて上記上限値が算出されるようにするためには、出力制御に関わる設定情報として、各種の情報を太陽光発電装置１０が保有している必要がある。
【００３１】
（交流出力の上限値）
太陽光発電装置１０の交流出力の上限値は、より具体的には、パワーコンディショナ１２の交流出力の上限値である。この上限値を、太陽光発電装置１０が、出力制御スケジュールで指定された日時について算出するためには、出力制御スケジュールで提示される上記出力制御量のほかに、２つのパラメータとして、パワーコンディショナ１２の定格容量（ｋＷ）とソーラパネル１３の容量（ｋＷ）とを指定する必要がある。
【００３２】
図４は、上記交流出力の上限値の算出例を示す説明図である。パワーコンディショナ１２の定格容量をα、ソーラパネル１３の容量をβとすると、図４に示すように、αおよびβは、サービスマンが電力モニタ１１に入力すべき設定情報に含まれる。
【００３３】
αおよびβが決まると、交流出力の上限値Ｐmaxは、以下の式に従って、電力モニタ１１によって算出される。なお、以下の式（１）において、Ｒは出力制御量（％）、δは換算係数である。換算係数δは以下の式（２）によって定義される。
Ｐmax＝（Ｒ／１００）×δ×α  ・・・（１）
δ＝（αおよびβの小さい方）／α  ・・・（２）
式（１）、（２）より、上限値Ｐmaxは、以下の式（３）によって求められる。
Ｐmax＝（Ｒ／１００）×（αおよびβの小さい方）・・・（３）
上式（３）において、αおよびβの小さい方（Ｐ０とする）とは、すなわち太陽光発電装置１０の最大発電電力であり、契約容量または設備認定容量とも呼ばれる。また、換算係数δは、パワーコンディショナの定格容量αに対する契約容量Ｐ０の比率であり、出力制御スケジュールで提示される契約容量ベースの出力制御量Ｒを、パワーコンディショナ１２の定格容量αをベースにして求め直す係数としての意味を持つ。
【００３４】
例えば、パワーコンディショナ１２の定格容量αが８ｋＷ、ソーラパネル１３の容量βが６ｋＷとし、取得した出力制御スケジュールにおいて、図３の（ｂ）に示すように、１２時〜１５時の時間帯について出力制御量Ｒが５０％に指定されているとし、制御率γ＝Ｒ／１００＝０．５とする。この場合、上限値Ｐmaxは、上式（３）よりＰmax＝γ×Ｐ０＝０．５×６＝３（ｋＷ）と求まる。
【００３５】
（太陽光発電システムの具体的な構成）
次に、図１を参照して、電力モニタ１１の機能をより具体的に説明する。図１は、太陽光発電システム１において、電力モニタ１１の機能的な構成を詳細に示すブロック図である。
【００３６】
（電力モニタの構成）
電力モニタ１１は、メモリ１５、コントローラ１６、グラフィックユーザインタフェースとしてのＧＵＩ１７、サーバ通信部１８およびＰＣＳ通信部１９を備えている。コントローラ１６は、ＧＵＩ制御部１６１、出力制御値計算部１６２、出力制御設定部１６３、および電力値電力量記録部１６４を備えている。
【００３７】
サーバ通信部１８は、モニタリングサーバ２０と通信し、太陽光発電装置１０に関わる「電力に関する情報」を電力モニタ１１からモニタリングサーバ２０へ定期的に送信する。「電力に関する情報」とは、太陽光発電装置１０の発電量、太陽光発電装置１０の売電量および買電量、太陽光発電装置１０のユーザの家庭全体の消費電力などを示す情報である。また、モニタリングサーバ２０では、太陽光発電装置１０の発電状態または上記ユーザによる電力消費の状態が診断され、診断結果が作成されるので、サーバ通信部１８は、その診断結果をモニタリングサーバ２０から定期的に受信する。また、電力モニタ１１が太陽光発電装置１０を制御するためのソフトウェアを、保守管理者等が更新した場合に、サーバ通信部１８は、更新されたソフトウェアをモニタリングサーバ２０から受信する。
【００３８】
また、サーバ通信部１８は、前記スケジュールサーバ３０と通信し、出力制御スケジュールを受信し、出力制御設定部１６３へ送る。出力制御設定部１６３は、受信した出力制御スケジュールを出力制御値計算部１６２へ送る。
【００３９】
出力制御値計算部１６２は、ＮＴＰサーバが配信し、サーバ通信部１８を介して取得される時刻情報を参照しながら、取得した出力制御スケジュールを解釈し、出力制御の対象日における時刻の経過に応じて、パワーコンディショナ１２が出力できる電力の上限値を求める。
【００４０】
図４に示した例の場合、出力制御値計算部１６２は、パワーコンディショナ１２が、１２時〜１５時の時間帯に出力できる交流電力の上限値として例えば３ｋＷを算出し、ＰＣＳ通信部１９を介してパワーコンディショナ１２にその上限値を指示する。この結果、パワーコンディショナ１２が１２時〜１５時の時間帯に出力する交流電力は、３ｋＷ以下に制限される。
【００４１】
また、出力制御値計算部１６２は、ＧＵＩ制御部１６１へ、出力制御が１２時〜１５時の時間帯に実施中であるという情報と、算出した交流電力の上限値３ｋＷとを伝えてもよい。これにより、ＧＵＩ制御部１６１は、ＧＵＩ１７に、出力制御が１２時〜１５時の時間帯に実施中であるというメッセージを表示するとともに、交流電力の上限値が３ｋＷに制限されているというメッセージとを表示することができる。
【００４２】
なお、午後１時にソーラパネル１３が発電した電力値が５ｋＷだとすると、この電力値は、パワーコンディショナ１２から、ＰＣＳ通信部１９を介して、出力制御値計算部１６２に送られる。このときの自家消費電力が１．５ｋＷだとすると、パワーコンディショナ１２が出力できる電力の上限値は、上記の３ｋＷなので、出力制御値計算部１６２は、３ｋＷ−１．５ｋＷ＝１．５ｋＷの余剰電力が生じることを算出する。この余剰電力は、電力系統６０に逆潮流させ売電することができるので、出力制御値計算部１６２は、パワーコンディショナ１２へ売電指示を送る。また、５ｋＷ−３ｋＷ＝２ｋＷについては、売電することができない代わりに蓄電することができるので、出力制御値計算部１６２は、パワーコンディショナ１２へ蓄電指示を送る。また、自家消費電力が上限値を超えた場合には、自家消費電力までパワーコンディショナ１２が電力を出力してよいことになっているので、出力制御値計算部１６２は、パワーコンディショナ１２へ出力指示を送る。
【００４３】
出力制御値計算部１６２が把握したソーラパネル１３の発電量（例えば５ｋＷ）、売電量（例えば１．５ｋＷ）、蓄電量（例えば２ｋＷ）および自家消費電力（例えば１．５ｋＷ）は、ＧＵＩ制御部１６１を介してＧＵＩ１７に表示することができる。
【００４４】
なお、電力値電力量記録部１６４は、発電電力、売電電力、買電電力、および家庭負荷１４による消費電力などについて、現在時刻における各電力値を取得してメモリ１５に記録したり、時間単位、日単位、月単位または年単位で積算した各電力量をメモリ１５に記録したりする。
【００４５】
（設定情報の具体例）
以下に、出力制御に関わる設定情報の具体例を説明する。図５は、出力制御の実施の仕方を決める各種条件から、特定の条件を選択して、電力モニタ１１に入力するための初期画面（第１入力画面）と、選択した条件に応じて、異なる画面が表示されることとを示す説明図である。図６〜図１１の各（ａ）は、出力制御の実施の仕方を決める各種条件に対応した太陽光発電装置の設置パターンを示す説明図であり、各（ｂ）は、出力制御に関わる設定情報を設置パターンに応じて入力するための入力画面（第２入力画面）とを示す説明図である。
【００４６】
太陽光発電装置１０に対する出力制御の仕方は、出力制御が適用される基準日（例えば、２０１５年４月１日）以降において、パワーコンディショナ１２およびソーラパネル１３が新設されたか、または増設されたか、あるいはパワーコンディショナ１２が交換されたかなどによって変わる。言い換えると、出力制御の仕方は、基準日以降における、太陽光発電装置１０の設置工事の内容によって大きく枝分かれする。
【００４７】
そこで、図５に示すように、電力モニタ１１は、各種条件の一例として、設置工事の内容としての新設、増設、パワコン交換のいずれかを前記サービスマンが選択するための入力ボタンと、新設、増設またはパワコン交換を行った後の上記設備認定容量が所定の閾値以上か未満かを特定するための入力欄とを、初期画面１１ａ（第１入力画面）として画面１１Ａに表示する。設備認定容量に関する所定の閾値とは、出力制御の実施の仕方を決める各種条件に応じた太陽光発電装置１０の設定を、閾値未満に対応した設定とするか、閾値以上に対応した設定とするかを決めるための閾値であり、例えば１０ｋＷである。一例として、太陽光発電装置１０において新設、増設または交換が行われた結果、後述するように、既設分の設備認定容量に対して増加した設備認定容量を出力制御の対象とするやり方は、全体の設備認定容量が１０ｋＷ未満に収まっているケースに適用される。一方、全体の設備認定容量が１０ｋＷ以上になるケースでは、既設分の設備認定容量を考慮せず、全体の設備認定容量を出力制御の対象とするやり方が適用される。
【００４８】
そこで、設備認定容量に関する上記入力欄では、１０ｋＷ未満または１０ｋＷ以上のいずれかの容量範囲を選択できるようになっている。この入力欄でサービスマンが容量範囲を特定しなければ、新設、増設、パワコン交換の入力ボタンにタッチしても、初期画面１１ａの表示は、他の入力画面の表示に切り換わらない。
【００４９】
サービスマンが、容量範囲を特定して新設の入力ボタンにタッチしてから決定ボタンを押すと、図６の（ａ）（ｂ）に示すように、新設という条件に応じた入力画面１１ｂ（画面Ｉ：第２入力画面）に表示が遷移する。入力画面１１ｂには、新設に対応した設定情報の入力欄１１０が表示される。
【００５０】
このように、新設、増設、パワコン交換は、「設置工事の内容」という種類に分類される各種条件を特定する設定情報である。初期画面１１ａに対して、容量範囲および「設置工事の内容」に関する入力が完了しない場合には、他の種類の設定情報を入力するための入力画面１１ｂに表示が切り換わらないようになっている。
【００５１】
同様に、サービスマンが増設またはパワコン交換の入力ボタンにタッチして決定ボタンを押すと、例えば図７の（ａ）（ｂ）および図１０の（ａ）（ｂ）に示すように、増設またはパワコン交換という条件に応じた入力画面１１ｃまたは１１ｆ（画面II−１または画面III−１：第２入力画面）に表示が遷移する。入力画面１１ｃには、増設に対応した複数の設定情報の入力欄１１０が表示される。また、入力画面１１ｆには、パワコン交換に対応した複数の設定情報の入力欄１１０が表示される。
【００５２】
なお、図５は、例えば画面１１Ａのサイズが７インチの場合を示しているが、３．５インチの画面１１Ｂの例を図１８に示す。画面１１Ｂの場合、図１８の（ａ）に示すように、設備認定容量の入力画面において、「１０ｋＷ未満」の表示部または「１０ｋＷ以上」の表示部のどちらかにサービスマンがタッチして決定ボタンを押すと、設置工事の種類を選択する入力画面（図１８の（ｂ））に表示が切り換わるようになっている。
【００５３】
（設置工事の第１のパターン）
より具体的には、設置工事の第１のパターンとして、図６の（ａ）に示すように、発電容量（以下、モジュール容量と呼ぶ）が５．０ｋＷのソーラパネル１３と定格容量が５．５ｋＷのパワーコンディショナ１２とを、上記基準日以降に新設したケースを考える。この場合、図６の（ｂ）に示すように、入力画面１１ｂ（画面Ｉ）では、モジュール容量について、今回新設したソーラパネル１３の容量（今回設備認定時の容量）としての５．０を設定情報として入力するための入力欄１１０が、入力可能状態に表示されている。一方、この入力画面１１ｂ（画面Ｉ）では、今回新設したソーラパネル１３の容量以外の設定情報に関する入力欄１１１が全て、例えばグレイアウトされ、入力不可状態に表示されている。
【００５４】
さらに、入力画面１１ｂ（画面Ｉ）では、今回新設したパワーコンディショナ１２の定格容量（今回設備認定時の容量）としての５．５が、設定情報として入力欄１１１に自動入力され、かつ、その入力欄１１１は、例えばグレイアウトされ、入力不可状態に表示されている。これは、今回新設したパワーコンディショナの定格容量（パワコン容量）は、電力モニタ１１（特に出力制御設定部１６３）が、例えばＲＳ４８５通信によってパワーコンディショナ１２から自動取得できるので、手入力を不要にするためである。
【００５５】
また、出力制御対象の有無に関する入力欄１１１についても、太陽光発電装置１０の新設が、制御対象有りの意味になるため、今回出力制御対象の入力欄１１１を入力不可状態（入力不要状態）に表示し、前回出力制御対象の入力欄１１１も入力の意味が無いので入力不可状態に表示している。
【００５６】
この入力欄１１０，１１１における入力可能状態と入力不可状態とを選択的に切り換える制御は、出力制御設定部１６３およびＧＵＩ制御部１６１が連携して行う。すなわち、出力制御設定部１６３が、新設、増設、パワコン交換の種別情報をＧＵＩ１７およびＧＵＩ制御部１６１を介して受け取った場合に、メモリ１５に保存されている入力画面の基本表示データに含まれている複数の項目の表示状態を指定する。より具体的には、出力制御設定部１６３は、基本表示データに含まれている複数の項目のうち、どの項目を入力可能状態の入力欄１１０と対応付け、どの項目を入力不可状態の入力欄１１１と対応付けるかを種別情報に基づいて指定し、ＧＵＩ制御部１６１に指示する。ＧＵＩ制御部１６１は、出力制御設定部１６３の指示に基づいて、入力画面の表示データを作成し、入力欄１１０，１１１を表示した入力画面を画面１１Ａに表示する。
【００５７】
このように、各種条件から選択された条件に応じて、各入力欄１１０または１１１を、入力可能状態および入力不可状態のいずれかに選択的に切り換えている。これにより、サービスマンは、入力すべき入力欄１１０と、入力すべきではない、または入力が不要な入力欄１１１とを一目瞭然に把握することができる。この結果、設定情報の入力作業の効率が向上する。また、入力間違いを抑制できるので、入力作業の確実性も向上する。
【００５８】
入力画面１１ｂ（画面Ｉ）を介して入力された設定情報は、コントローラ１６（特に出力制御設定部１６３）によって、メモリ１５に書き込まれ保存される。
【００５９】
なお、入力画面１１ｂ（画面Ｉ）は、太陽光発電装置１０に３台のパワーコンディショナを搭載でき、各パワーコンディショナに接続されたソーラパネル１３の容量を入力できる例を示している。設置工事の他のパターンについては、下記のその他の設定情報について説明した後で説明する。
【００６０】
（その他の設定情報の表示切換）
上記入力画面１１ｂ（画面Ｉ）に表示された設定情報以外に、多様な設定情報の入力がさらに必要である。そこで、入力画面１１ｂ（画面Ｉ）の下部に表示された決定ボタンにサービスマンがタッチすると、上記コントローラ１６（特に出力制御設定部１６３）が、入力欄１１０に数値が入力されているか否かを判断する。複数の入力欄１１０が表示されている場合には、全ての入力欄１１０に対する入力の完了をコントローラ１６（特に出力制御設定部１６３）が判断すると、決定ボタンのタッチを有効にする。これにより、画面１１Ａの表示は、入力画面１１ｂから、図示しないが、その他の設定情報を入力するための入力画面へ切り換わる。
【００６１】
このように、設定情報が複数種類の設定情報に分類されていて、設定情報の種類ごとに、上記入力欄１１０，１１１を有する入力画面が切り換わって、画面１１Ａに表示される。したがって、入力すべき設定情報の種類によって、入力画面が切り換わるので、入力者に対し、わかりやすい入力画面を提示することができる。また、ある種類の設定情報に対応した入力画面に対し、上記ある種類の設定情報の入力が完了していない場合には、他の種類の設定情報に対応した入力画面に、表示が切り換わらないように構成されている。したがって、必要な設定情報の入力漏れを防止することができ、過不足のない入力を担保することができる。
【００６２】
（その他の設定情報の具体例）
その他の設定情報としては、例えば以下の（ａ）〜（ｇ）を挙げることができる。
【００６３】
（ａ）通信設定：電力モニタ１１がスケジュールサーバ３０と通信して出力制御スケジュールを取得するか否か。通信設定が不可の場合には、手動で出力制御スケジュールを電力モニタ１１に書き込むか否か。
【００６４】
（ｂ）発電所ＩＤ：既に説明済みだが、発電所ＩＤの設定を間違うと、太陽光発電装置１０が正しい出力制御スケジュールを取得できず、不適切な出力制御が実施されることにつながるので、発電所ＩＤは特に重要な設定情報の１つである。
【００６５】
（ｃ）スケジュールサーバＵＲＬ：出力制御スケジュールを配信するサーバ（例えば、スケジュールサーバ３０）のＵＲＬ（Ｕｎｉｆｏｒｍ  Ｒｅｓｏｕｒｃｅ  Ｌｏｃａｔｏｒ）。電力事業の自由化に伴い、複数の電力事業者が出力制御を行い、そのためのスケジュールサーバーが設置されると考えられる。その複数のスケジュールサーバーのそれぞれにＵＲＬが割り当てられる。スケジュールサーバＵＲＬの設定を間違うと、太陽光発電装置１０に送信されるべき正しい出力制御スケジュールを、太陽光発電装置１０は受け取ることができなくなる。そうすると適正な出力制御が行われない結果、電力事業者と、太陽光発電装置１０のユーザとの双方が、不利益を受けるおそれがある。電力事業者が受ける不利益には、電力系統６０において発生する不具合も含まれる。このため、スケジュールサーバＵＲＬも特に重要な設定情報の１つである。
【００６６】
（ｄ）ＮＴＰサーバＵＲＬ：太陽光発電システム１内の時刻合わせのために標準時刻情報を配信するＮＴＰ（Ｎｅｔｗｏｒｋ Ｔｉｍｅ Ｐｒｏｔｏｃｏｌ）サーバのＵＲＬ。スケジュールサーバがどのＮＴＰサーバと連携するかを、スケジュールサーバによって変えることが考えられる。
【００６７】
（ｅ）出力変化時間：出力制御の実施規定には、出力制御の変化時間が規定されている。そのねらいは、パワーコンディショナが出力制御を行う際に、出力を緩やかに上げたり下げたりすることによって、出力の急変を避けることにある。例えば、５分〜１０分の変化時間をかけて、１分刻みで出力を調整するといったルールが規定されている。
【００６８】
（ｆ）設備認定容量（契約容量）：太陽光発電装置１０の発電容量として、電力事業者に登録された発電容量（ｋＷ）。設備認定容量の大きさによって、下記（ｇ）の買い取り制度の内容と売電単価とが変わる。
【００６９】
（ｇ）余剰/全量制御：余剰買い取り制度の適用を受けるか、全量買い取り制度の適用を受けるかの区別。どちらの制度の適用を受けるかにより、売電単価（円／ｋＷ）が変わる。
余剰買い取り制度は、最大発電電力が例えば１０ｋｗ未満の太陽光発電装置を対象としている。余剰買い取り制度では、発電電力から自家消費する電力を差し引いて残る余剰電力が生じた場合に、余剰電力を売電することを保証している。
全量買い取り制度は、最大発電電力が例えば１０ｋｗ以上の太陽光発電装置を対象としている。全量買い取り制度では、自家消費する電力を電力事業者から買う一方、発電電力を全て売電することを保証している。
【００７０】
（設置工事の第２のパターン）
次に、設置工事の第２のパターンとして、図７の（ａ）に示すように、モジュール容量が２．０ｋＷのソーラパネルを、上記基準日以降に増設したケースを考える。この場合、図７の（ｂ）に示すように、画面１１Ａに表示された入力画面１１ｃ（画面II−１）では、前回設備認定時のモジュール容量としての４．０を設定情報として入力するための入力欄１１０と、今回設備認定時のモジュール容量としての６．０を設定情報として入力するための入力欄１１０が、入力可能状態に表示されている。また、前回設備認定時のパワコン容量としての５．５を設定情報として入力するための入力欄１１０と、前回出力制御対象について「対象外」を設定情報として入力するための入力欄１１０と、今回出力制御対象について「対象」を設定情報として入力するための入力欄１１０とが、入力可能状態に表示されている。さらに、今回設備認定時のパワコン容量としての５．５が自動入力された入力欄１１１は、入力不可状態に表示されている。
【００７１】
前回設備認定時のパワコン容量としての５．５を設定情報として入力するのは、今回設備認定時のパワコン容量が前回設備認定時のパワコン容量と同じであり、ソーラパネルのみの増設であって、初期画面１１ａで入力した増設の情報と矛盾がないことをコントローラ１６（特に出力制御設定部１６３）が判断するためである。
【００７２】
なお、前述したように、設備認定容量（契約容量）Ｐ０は、パワーコンディショナの定格容量（パワコン容量）αと、ソーラパネルの容量（モジュール容量）βとの小さい方になるため、パワコン増設前は、モジュール容量βの４．０ｋＷが契約容量となる。これに対し、パワコン増設後は、モジュール容量が６．０ｋＷになるがパワコン容量αの５．５ｋＷが契約容量となる。
【００７３】
また、出力制御の対象になるのは、契約容量の増加分である１．５ｋＷである。コントローラ１６（特に出力制御値計算部１６２）は、交流出力の上限値Ｐmaxを以下のように算出する。例えば、出力制御量Ｒが５０％の場合、出力制御値計算部１６２は、契約容量の増加分１．５ｋＷを算出し、求めた１．５ｋＷに出力制御量Ｒの比率（制御率γ）を乗算した値を、既設分の４．０ｋＷに加算する。すなわち、交流出力の上限値Ｐmaxは、４＋１．５×０．５＝４．７５ｋＷとなる。
【００７４】
（設置工事の第３のパターン）
次に、設置工事の第３のパターンとして、図８の（ａ）に示すように、既設のパワーコンディショナ１２（５．５ｋＷ）およびソーラパネル１３（６．０ｋＷ）のセットに対して、パワーコンディショナ（２．５ｋＷ）およびソーラパネル（３．０ｋＷ）の新たなセットを増設したケースを考える。このケースの設備認定容量（契約容量）は、既設のパワコン容量５．５ｋＷから、増設後のパワコン容量の合計である８．０ｋＷに変わる。
【００７５】
図８の（ｂ）に示すように、画面１１Ａに表示された入力画面１１ｄ（画面II−２）は、既設のパワコンに対応したパワコン１における、前回設備認定時のモジュール容量の数値を除いて、前記入力画面１１ｃ（画面II−１）と同じである。また、増設のパワコンに対応したパワコン２について、パワコン１と同様に、複数の入力欄１１０が入力可能状態に表示されている一方、それ以外の入力欄１１１が入力不可状態に表示されている。
【００７６】
なお、パワコン２について、前回設備認定時のパワコン容量およびモジュール容量はどちらも０が入力され、前回出力制御対象については「対象」が入力される。また、第３のパターンの上限値Ｐmaxは、第２のパターンと同様に、契約容量の既設分と増加分とに基づいて算出される。
【００７７】
（設置工事の第４のパターン）
次に、設置工事の第４のパターンとして、図９の（ａ）に示すように、既設のソーラパネル１３（４．０ｋＷ）に接続された既設のパワーコンディショナ１２（４．５ｋＷ）に対してソーラパネル（２．０ｋＷ）を増設し、かつ、パワーコンディショナ（４．５ｋＷ）およびソーラパネル（３．０ｋＷ）の新たなセットを増設したケースを考える。このケースの設備認定容量（契約容量）は、既設のモジュール容量４．０ｋＷから、７．５ｋＷに変わる。
【００７８】
この増設後の設備認定容量の求め方は、次の通りである。設備認定容量は、パワーコンディショナごとに求め、パワーコンディショナごとに求めた設備認定容量の合計値が、増設後の設備認定容量になる。図９の（ａ）に示すケースでは、既設のパワーコンディショナ（４．５ｋＷ）に対して、ソーラパネルが増設された結果、モジュール容量の合計は６．０ｋＷである。図４を参照して説明したように、パワコン容量とモジュール容量との小さい方が設備認定容量になるので、既設のパワーコンディショナ（４．５ｋＷ）に関する設備認定容量は、４．５ｋＷである。一方、増設のパワーコンディショナ（４．５ｋＷ）については、増設されたモジュール容量の方がパワコン容量より小さいため、その３．０ｋＷが設備認定容量になる。したがって、全体の設備認定容量は、４．５ｋＷと３．０ｋＷとを合計した７．５ｋＷになる。
【００７９】
図９の（ｂ）に示すように、入力画面１１ｅ（画面II−３）は、既設のパワコンに対応したパワコン１に関して、前回設備認定時のパワコン容量と、今回設備認定時のパワコン容量の各数値を除いて、前記入力画面１１ｃ（画面II−１）と同じである。また、入力画面１１ｅ（画面II−３）は、増設のパワコンに対応したパワコン２に関して、今回設備認定時のパワコン容量の入力欄１１１に自動入力された数値を除いて、前記入力画面１１ｄ（画面II−２）と同じである。また、第４のパターンの上限値Ｐmaxは、第２、第３のパターンと同様に、契約容量の既設分と増加分とに基づいて算出される。
【００８０】
（設置工事の第５のパターン）
次に、設置工事の第５のパターンとして、図１０の（ａ）に示すように、既設のパワコンＡ（３．４ｋＷ）を、新しいパワコンＢ（４．０ｋＷ）に交換し、パワコン容量が増えたケースを考える。このケースの設備認定容量（契約容量）は、既設のパワコン容量３．４ｋＷから、新しいパワコン容量４．０ｋＷに変わる。
【００８１】
図１０の（ｂ）に示すように、画面１１Ａに表示された入力画面１１ｆ（画面III−１）では、入力欄１１０，１１１の表示状態に関して、前回設備認定時のモジュール容量の入力欄１１１が入力不可状態に表示されている点を除いて、入力画面１１ｃ（画面II−１）の入力欄１１０，１１１の表示状態と同じである。また、第５のパターンの上限値Ｐmaxは、次のようにして算出される。出力制御の対象になるのは、設備認定容量の増加分である０．６ｋＷである。例えば、出力制御量Ｒが５０％の場合、増加分の０．６ｋＷに出力制御量Ｒの比率（制御率γ）を乗算した値を、既設分の３．４ｋＷに加算する。すなわち、交流出力の上限値Ｐmaxは、３．４＋０．６×０．５＝３．７ｋＷとなる。
【００８２】
（設置工事の第６のパターン）
次に、設置工事の第６のパターンとして、図１１の（ａ）に示すように、既設のパワコンＡ（５．５ｋＷ）を、定格容量は同じ新しいパワコンＢ（５．５ｋＷ）に交換したケースを考える。このケースの設備認定容量（契約容量）は、５．５ｋＷのままで変わらないので、図１１の（ｂ）に入力画面１１ｇ（画面III−２）を示すように、出力制御対象の入力欄には、前回および今回のどちらも同じく「対象外」が入力される。今回の入力欄が「対象外」になるのは、設備認定容量が増加していないので、出力制御の対象になる容量は無いからである。
【００８３】
なお、設置工事の各種パターンとして、ソーラパネルを新設または増設するケースを例示したが、これに限らない。例えば、既設のソーラパネルを新しいソーラパネルに交換することによって、設備認定容量が増加した場合には、原則として設備認定容量がそのまま出力制御の対象となる。
【００８４】
〔実施形態２〕
以下に、実施形態２として、太陽光発電装置の設置パターンに応じた設定情報の入力画面の他の形態を説明する。
【００８５】
図１２〜１７に示すように、上述した設置工事の第１〜第６のパターンにおいて、入力画面１１ｂ〜１１ｇは、入力画面１１ｈ〜１１ｋ、１１ｍ、１１ｎ、１１ｐ、１１ｑのように変えてもよい。
【００８６】
例えば、図１２の（ａ）に示す設置工事の前記第１のパターンでは、図１２の（ｂ）に示すように、画面１１Ｂに入力画面１１ｈ（画面Ｉ−Ｍ１）を表示させてもよい。入力画面１１ｈ（画面Ｉ−Ｍ１）では、第１のパターンに対応する出力制御に必要な設定情報のみが表示され、第１のパターンに無関係な設定情報は表示されないようになっている。さらに、入力画面１１ｈ（画面Ｉ−Ｍ１）では、入力が必要な設定情報の入力欄１１０が入力可能状態に表示され、手入力が不要で自動入力される設定情報の入力欄１１１が入力不可状態に表示される。したがって、今回のパワコン容量（５．５ｋＷ）および今回出力制御対象（有）が自動入力によって表示され、今回のモジュール容量（５．５ｋＷ）を入力するための入力欄１１０が入力可能状態に表示される。
【００８７】
図１３の（ａ）に示す設置工事の前記第２のパターンに対応した入力画面１１ｉ（画面II−Ｍ１）についても入力画面１１ｈ（画面Ｉ−Ｍ１）と同様であり、設定情報および入力欄の表示は必要最小限になっている。また、どの設定情報の入力欄１１０が表示可能状態に表示され、どの設定情報の入力欄１１１が表示不可状態に表示されるかについても、入力画面１１ｃ（画面II−１）について説明したとおりである。
【００８８】
図１４の（ａ）に示す設置工事の前記第３のパターンでは、図１４の（ｂ）に示すように、既設のパワコンに対応づけた入力画面１１ｊ（画面II−Ｍ２）と、増設のパワコンに対応づけた入力画面１１ｋ（画面II−Ｍ３）とを別にしている。入力画面１１ｊ（画面II−Ｍ２）と入力画面１１ｋ（画面II−Ｍ３）とを、１つの画面１１Ｂ内に横並びに表示してもよい。あるいは、入力画面１１ｊ（画面II−Ｍ２）に必要な入力を完了した後、入力画面１１ｊ（画面II−Ｍ２）の下部に表示された決定ボタンに入力者がタッチして、入力画面１１ｋ（画面II−Ｍ３）に表示が切り換わるようにしてもよい。後者の表示方式の方が、前述したように、入力漏れの防止効果を高めることができる。
【００８９】
図１５の（ａ）〜図１７の（ａ）に示す設置工事の前記第４〜第６のパターンに対応して図１５の（ｂ）〜図１７の（ｂ）に示す入力画面１１ｍ（画面II−Ｍ４）、入力画面１１ｎ（画面II−Ｍ５）、入力画面１１ｐ（画面III−Ｍ１）および入力画面１１ｑ（画面III−Ｍ２）についても、既に説明したとおりである。
【００９０】
〔ソフトウェアによる実現例〕
電力モニタ１１のコントローラ１６に含まれたＧＵＩ制御部１６１、出力制御値計算部１６２、出力制御設定部１６３、および電力値電力量記録部１６４は、集積回路（ＩＣチップ）等に形成された論理回路（ハードウェア）によって実現してもよいし、ＣＰＵ（Central Processing Unit）を用いてソフトウェアによって実現してもよい。
【００９１】
後者の場合、電力モニタ１１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。
【００９２】
上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９３】
〔まとめ〕
本発明の態様１に係る電力モニタは、太陽光発電装置（１０）に備えられる電力モニタ（１１）であって、上記太陽光発電装置（１０）の交流出力を制限する出力制御に関わる設定情報を入力する画面（１１Ａ、１１Ｂ）を備え、上記太陽光発電装置（１０）に対する上記出力制御の実施の仕方を決める各種条件に応じた上記設定情報を入力するための入力欄（１１０または１１１）を、上記画面（１１Ａ、１１Ｂ）に選択的に表示させることを特徴とする。
【００９４】
上記の構成において、電力系統と連系する太陽光発電装置に対して、上記出力制御は一律に実施されるのではなく、例えば、太陽光発電装置を構成するパワーコンディショナおよび／または太陽光発電モジュールの新設、増設および交換のいずれに該当するかなどの条件によって、出力制御の仕方は大きく枝分かれする。また、上記出力制御の仕方は、より細かい各種条件、例えば、太陽光発電装置の契約容量、パワーコンディショナの容量、太陽光発電モジュールの容量、および出力制御の対象有無などによっても細かく枝分かれする。
【００９５】
これらの条件を具体的に特定する設定情報は、項目が多岐にわたり、電力モニタの操作者に誤入力を発生させ易くしたり、操作者が画面に正しく入力し終えるまでの負担を増大させたりする。設定情報の誤入力は、誤った出力制御を招くことになるので、本来売電できるにもかかわらず売電できなくなるというケースでは、太陽光発電装置のユーザに損失を与えることになる。また、操作者の入力にかかる負担が、作業効率の低下を招き、系統の電力事業者、または太陽光発電装置の保守管理事業者にとってコスト増につながるおそれもある。
【００９６】
上記の構成によれば、上記太陽光発電装置に対する上記出力制御の実施の仕方を決める条件に応じた上記設定情報を入力するための入力欄を、上記画面に選択的に表示させるので、電力モニタの操作者は、電力モニタに条件を与えてやりさえすれば、与えた条件に対応した入力欄が選択され、画面に表示される。したがって、表示された入力欄に必要な設定情報を確実に入力することができるので、入力ミスが防止される。また、入力の作業効率が向上するので、太陽光発電装置の保守管理にかかるコストを抑えることができる。
【００９７】
本発明の態様２に係る電力モニタでは、上記態様１において、上記画面（１１Ａ）に、上記設定情報を入力するための複数の入力欄（１１０，１１１）が表示されており、上記各種条件から選択された条件に応じて、各入力欄（１１０，１１１）の表示を、入力可能状態および入力不可状態のいずれかに選択的に切り換える。
【００９８】
上記の構成によれば、設定情報を入力するために画面に表示された複数の入力欄が、上記各種条件から選択された条件に応じて、入力可能状態および入力不可状態のいずれかに切り換わって表示される。したがって、電力モニタの操作者は、選択された条件に対して、同じ画面を見ながら、複数の入力欄のうちのどの入力欄に設定情報を入力すればよいかを一目瞭然に把握することができる。これにより、条件ごとに別々の入力画面を用意し、選択された条件に対して入力画面を切り換えて表示する制御、または操作が不要になる。
【００９９】
本発明の態様３に係る電力モニタでは、上記態様１において、上記各種条件から選択する条件を入力するための第１入力画面（初期画面１１ａ）と、上記第１入力画面に対して上記条件を入力したことに応じて、入力した条件に対応した上記設定情報を入力するための入力欄（１１０）を選択的に表示した第２入力画面（入力画面１１ｂ〜１１ｇなど）と、を、上記画面（１１Ａ）に表示させる。
【０１００】
上記の構成によれば、上記出力制御の実施の仕方を大きく決める条件を選択して入力する第１画面が先ず表示されるので、電力モニタの操作者にとって、入力の手順がよりわかりやすくなる。
【０１０１】
本発明の態様４に係る電力モニタでは、上記態様１から３のいずれかにおいて、上記設定情報は、複数種類の設定情報に分類されており、設定情報の種類ごとに、上記入力欄を有する入力画面が切り換わって、上記画面（１１Ａ、１１Ｂ）に表示されるように構成されており、ある種類の設定情報に対応した入力画面（例えば、初期画面１１ａ）に対し上記ある種類の設定情報の入力が完了していない場合には、他の種類の設定情報に対応した入力画面（例えば、入力画面１１ｂ〜１１ｇなど）に、表示が切り換わらないように構成されている。
【０１０２】
上記の構成によれば、入力すべき設定情報の種類によって、入力画面が切り換わるので、電力モニタの操作者に対し、わかりやすい入力画面を提示することができる。その上、ある種類の設定情報（１）に対応した入力画面（Ｉ）に対し、設定情報（１）の入力が完了しなければ、他の種類の設定情報（２）に対応した入力画面（II）に、表示が切り換わらないようになっているので、入力画面（Ｉ）に対する入力漏れを防止することができる。
【０１０３】
本発明の態様５に係る電力モニタでは、上記態様１から４のいずれかにおいて、上記各種条件は、上記太陽光発電装置（１０）を構成するパワーコンディショナ（１２）および／または太陽光発電モジュール（ソーラパネル１３）の新設、増設および交換のいずれに該当するかである。
【０１０４】
上記の構成によれば、パワーコンディショナおよび／または太陽光発電モジュールの新設、増設および交換の各条件に対応する設定情報は、互いに異なるので、電力モニタは、各種条件に応じて異なる入力欄を画面に適切に表示することができる。
【０１０５】
本発明の態様６に係る電力モニタでは、上記態様１から５のいずれかにおいて、上記設定情報のうち、電力モニタ（１１）が上記太陽光発電装置（１０）から自動取得できる設定情報、または上記各種条件に対する入力が不要または禁止される設定情報の入力欄（１１１）については、入力不可状態を表示する。
【０１０６】
上記の構成によれば、電力モニタの操作者が入力する必要が無い、あるいは入力してはいけない設定情報の入力欄が、入力不可状態で表示される。したがって、操作者の誤入力を防止する効果を高めることができる。
【０１０７】
本発明の態様７に係る表示制御方法は、太陽光発電装置（１０）に備えられる電力モニタ（１１）の画面（１１Ａ）に対する表示制御方法であって、上記太陽光発電装置（１０）の交流出力を制限する出力制御に関わる設定情報を入力するための入力欄（１１０，１１１）を、上記太陽光発電装置（１０）に対する上記出力制御の実施の仕方を決める各種条件に応じて、上記画面（１１Ａ）に選択的に表示させることを特徴とする。
【０１０８】
上記の方法によれば、電力モニタの操作者は、表示された入力欄に必要な設定情報を確実に入力することができるので、入力ミスが防止される。また、入力の作業効率が向上するので、太陽光発電装置の保守管理にかかるコストを抑えることができる。
【０１０９】
なお、本発明の電力モニタを以下のように構成してもよい。すなわち、上記各態様として記載した電力モニタ（１１）のいずれかにおいて、上記入力欄（１１０または１１１）を含む複数の入力欄が表示される上記画面（１１Ａ）の初期表示データ（基本表示データ）を格納したメモリ（１５）と、上記初期表示データにおける上記複数の入力欄の各々に対応するデータを、上記各種条件から選択された条件に応じて、入力可能状態および入力不可状態のいずれかに選択的に書き換える表示制御部（出力制御設定部１６３およびＧＵＩ制御部１６１）と、を備えたことを特徴とする電力モニタ。
【０１１０】
また、上記態様７に係る表示制御方法をコンピュータに実行させるための表示制御プログラム、およびその表示制御プログラムを記録したコンピュータ読取可能な記録媒体も本発明の範疇に含めることができる。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１２】
１  太陽光発電システム
１０  太陽光発電装置
１１  電力モニタ
１１Ａ、１１Ｂ  画面
１１ａ  初期画面（第１入力画面）
１１ｂ〜１１ｇ  入力画面（第２入力画面）
１１ｈ、１１ｉ、１１ｊ、１１ｋ、１１ｍ、１１ｎ、１１ｐ、１１ｑ  入力画面（第２入力画面）
１２  パワーコンディショナ
１３  ソーラパネル（太陽光発電モジュール）
１１０、１１１  入力欄
【図１】
2017163631.tif 000003
【図２】
2017163631.tif 000004
【図３】
2017163631.tif 000005
【図４】
2017163631.tif 000006
【図５】
2017163631.tif 000007
【図６】
2017163631.tif 000008
【図７】
2017163631.tif 000009
【図８】
2017163631.tif 000010
【図９】
2017163631.tif 000011
【図１０】
2017163631.tif 000012
【図１１】
2017163631.tif 000013
【図１２】
2017163631.tif 000014
【図１３】
2017163631.tif 000015
【図１４】
2017163631.tif 000016
【図１５】
2017163631.tif 000017
【図１６】
2017163631.tif 000018
【図１７】
2017163631.tif 000019
【図１８】
2017163631.tif 000020